(57)【要約】【課題】各絶縁被覆付き導線の誘導特性にばらつき無くし、且つ、優れた耐誘導特性を得ることができ、また、ドレイン線の使用量の低減によって軽量化やコスト低減を図ることができ、しかも、ドレイン線の縦添え工程を簡易にすることができるシールド電線を提供すること。【解決手段】複数本の絶縁被覆付き導線３ａ〜３ｄとドレイン線１３との周囲を外部導体１５で覆うシールド電線１１において、ドレイン線１３は、複数本の絶縁被覆付き導線３ａ〜３ｄを撚り合わせた導線束の一側に、真直に縦添えすることで、各絶縁被覆付き導線３ａ〜３ｄに対して、ドレイン線１３に対する撚りや接近度を平等にすることができる。【選択図】図１
2011014393.tif 000002
【特許請求の範囲】
【請求項１】
複数本の絶縁被覆付き導線と、これらの絶縁被覆付き導線に縦添えされて前記絶縁被覆付き導線の端部で接地接続されるドレイン線と、これらの絶縁被覆付き導線とドレイン線の周囲を覆うシールド層となる外部導体と、この外部導体の外周を覆う絶縁材層とを備えたシールド電線であって、
前記ドレイン線は、複数本の前記絶縁被覆付き導線を撚り合わせた導線束の一側に、真直に縦添えされたことを特徴とするシールド電線。
【請求項２】
複数本の絶縁被覆付き導線と、これらの絶縁被覆付き導線に縦添えされて前記絶縁被覆付き導線の端部で接地接続されるドレイン線と、これらの絶縁被覆付き導線とドレイン線の周囲を覆うシールド層となる外部導体と、この外部導体の外周を覆う絶縁材層とを備えたシールド電線であって、
前記ドレイン線は、複数本の前記絶縁被覆付き導線を撚り合わせた導線束の外周に、前記絶縁被覆付き導線の撚り方向とは逆の撚り方向で巻き付けられたことを特徴とするシールド電線。
【発明の詳細な説明】
【技術分野】
【０００１】
本発明は、複数本の絶縁被覆付き導線と、これらの絶縁被覆付き導線に縦添えされて前記絶縁被覆付き導線の端部で接地接続されるドレイン線と、これらの絶縁被覆付き導線とドレイン線の周囲を覆うシールド層となる外部導体と、この外部導体の外周を覆う絶縁材層とを備えたシールド電線に関する。
【背景技術】
【０００２】
図２は、シールド電線の横断面図を示したものである。
このシールド電線１は、４芯のシールド電線で、４本の絶縁被覆付き導線３ａ〜３ｄと、これらの絶縁被覆付き導線３ａ〜３ｄに縦添えされて絶縁被覆付き導線３ａ〜３ｄの端部で接地接続されるドレイン線６と、これらの絶縁被覆付き導線３ａ〜３ｄとドレイン線６の周囲を覆うシールド層となる外部導体７と、この外部導体７の外周を覆う絶縁材層９とを備えている。
【０００３】
絶縁被覆付き導線３ａ〜３ｄは、信号の伝送に使用される導体４の周囲を絶縁被覆５で覆った構造であり、ドレイン線６は絶縁被覆の無い裸の導体である。
【０００４】
外部導体７は、絶縁性フィルム８の片面に金属箔層を積層形成したもので、金属箔層を内側に向けて、４本の絶縁被覆付き導線３とドレイン線６との外周に巻き付けられている。
なお、外部導体７としては、細い導線を筒状に編んだ編組を用いたものもある。
【０００５】
ドレイン線６は、シールド電線１の両端部で、接地用の端子を接続するためのものである。シールド電線１の全長でドレイン線６と外部導体７とが安定した接触状態になっていると、ドレイン線６の両端を接地することで、良好なシールド特性が得られるようになる。
【０００６】
これまで、このようなシールド電線１では、図３に示すように、ドレイン線６を４本の絶縁被覆付き導線３ａ〜３ｄと一緒に一定のピッチで撚った構成のものが一般的であった。
【０００７】
図３において、拡大横断面図Ａ１，Ａ２，Ａ３は、シールド電線１上の長さ方向に位置をずらしたそれぞれの位置ｐ１，ｐ２，ｐ３におけるドレイン線６と各絶縁被覆付き導線３ａ〜３ｄとの位置関係を示している。
【０００８】
ところが、このようなシールド電線１では、次の（ａ）〜（ｃ）に示す問題が生じた。
（ａ）ドレイン線６と各絶縁被覆付き導線３ａ〜３ｄとの相対的な位置関係が固定で、各絶縁被覆付き導線３ａ〜３ｄ毎にドレイン線６との接近度が異なる（平等でない）ため、各導線３ａ〜３ｄでドレイン線６を介した誘導特性にばらつきが生じてしまう。
【０００９】
（ｂ）また、ドレイン線６と各絶縁被覆付き導線３ａ〜３ｄとの相対的な位置関係が固定で、ドレイン線６に対して撚りの効果が得られないため、ドレイン線６を介した耐誘導特性が低下してしまう。
【００１０】
（ｃ）ドレイン線６の線径が小さいと、ドレイン線６が並走する絶縁被覆付き導線３ａ〜３ｄ間の凹みに埋もれて、ドレイン線６と外部導体７とが非接触になる領域が発生して、シールド特性が悪化する場合があった。
【００１１】
そこで、このような問題を回避するべく、一定の撚りピッチで撚り上げた複数本の絶縁被覆付き導線の外周に、絶縁被覆付き導線とは異なる撚りピッチでドレイン線を巻き付けたもの（下記特許文献１参照）、あるいは、２本の絶縁被覆付き導線を撚り合わせたツイストペアケーブルに形成される二つの凹部のそれぞれに、凹部に埋もれないように複数本のドレイン線を撚り付けたシールドツイストペアケーブル（下記特許文献２参照）が提案されている。
【先行技術文献】
【特許文献】
【００１２】
【特許文献１】特開２００３−２４２８４０号公報
【特許文献２】特開２００８−２８７９４８号公報
【発明の概要】
【発明が解決しようとする課題】
【００１３】
ところが、上記特許文献１に開示のシールド電線の場合は、前述の（ａ）〜（ｃ）の問題に対しては有効であるものの、複数本の絶縁被覆付き導線の外周にドレイン線を縦添えする工程では、ドレイン線が各絶縁被覆付き導線とは異なる撚りピッチで正確に絶縁被覆付き導線の束の上に撚り付けられるように、ドレイン線の撚りピッチを高精度に管理することが要求され、ドレイン線の縦添え工程が複雑化するという新たな問題が生じた。
【００１４】
一方、上記特許文献２に開示のシールド電線の場合は、並走する絶縁被覆付き導線間の２つの凹みのそれぞれに複数本のドレイン線を配置するため、ドレイン線の使用量が増え、シールド電線の重量化や、コストアップという問題が生じた。更に、１本のシールド電線に収容される芯線数が２本に限定されているため、３本以上の芯線が必要となる場合には、複数本のシールドツイストペアケーブル同士を束ねて使う必要があり、多芯のシールド電線に適さないという問題もあった。
【００１５】
そこで、本発明の目的は上記課題を解消することに係り、各絶縁被覆付き導線のドレイン線を介した誘導特性にばらつきが生じ難く、且つ、ドレイン線に対する撚りの効果で優れた耐誘導特性を得ることができ、また、ドレイン線の線径や使用量を低減してもシールド層とドレイン線との間に安定した接触状態を確保することができて、シールド特性を低下させずにドレイン線の使用量の低減によって軽量化やコスト低減を図ることができ、しかも、ドレイン線の縦添え工程を簡易にすることができるシールド電線を提供することにある。
【課題を解決するための手段】
【００１６】
本発明の前述した目的は、下記の構成により達成される。
（１）複数本の絶縁被覆付き導線と、これらの絶縁被覆付き導線に縦添えされて前記絶縁被覆付き導線の端部で接地接続されるドレイン線と、これらの絶縁被覆付き導線とドレイン線の周囲を覆うシールド層となる外部導体と、この外部導体の外周を覆う絶縁材層とを備えたシールド電線であって、
前記ドレイン線は、複数本の前記絶縁被覆付き導線を撚り合わせた導線束の一側に、真直に縦添えされたことを特徴とするシールド電線。
【００１７】
（２）複数本の絶縁被覆付き導線と、これらの絶縁被覆付き導線に縦添えされて前記絶縁被覆付き導線の端部で接地接続されるドレイン線と、これらの絶縁被覆付き導線とドレイン線の周囲を覆うシールド層となる外部導体と、この外部導体の外周を覆う絶縁材層とを備えたシールド電線であって、
前記ドレイン線は、複数本の前記絶縁被覆付き導線を撚り合わせた導線束の外周に、前記絶縁被覆付き導線の撚り方向とは逆の撚り方向で巻き付けられたことを特徴とするシールド電線。
【００１８】
上記（１）の構成によれば、各絶縁被覆付き導線とドレイン線との相対的な位置関係は、いずれの絶縁被覆付き導線も、ドレイン線との接近及び離間を１撚り毎に繰り返す形態になり、ドレイン線に対する各絶縁被覆付き導線の接近度は、各絶縁被覆付き導線で平等になっている。そのため、各絶縁被覆付き導線のドレイン線を介した誘導特性にばらつきが生じ難い。
【００１９】
また、各絶縁被覆付き導線は、いずれも、ドレイン線に対して同様の撚りを有しており、ドレイン線に対する撚りの効果で優れた耐誘導特性を得ることもできる。
【００２０】
また、ドレイン線は、複数本の絶縁被覆付き導線を撚り合わせた導線束の一側に真直に縦添えされており、絶縁被覆付き導線間の凹みの上を跨ぐ形態で敷設されているため、ドレイン線の線径が小さくても、ドレイン線が絶縁被覆付き導線間の凹みに埋もれることが無く、外部導体の全長に渡って、ドレイン線と外部導体との接触状態を良好に保つことができる。
【００２１】
従って、ドレイン線の線径の縮径等でドレイン線の使用量を低減しても外部導体とドレイン線との間に安定した接触状態を確保することができて、シールド特性を低下させずにドレイン線の使用量の低減によって軽量化やコスト低減を図ることもできる。
【００２２】
また、ドレイン線は、複数本の絶縁被覆付き導線を撚り合わせた導線束の一側に真直に縦添えするだけであるから、ドレイン線を撚り付ける作業が一切不要となり、ドレイン線の縦添え工程を簡易にすることができる。
【００２３】
上記（２）の構成の場合、各絶縁被覆付き導線とドレイン線との相対的な位置関係は、いずれの絶縁被覆付き導線も、自己の撚りの位相とドレイン線の撚りの位相とに応じて周期的に変化する形態となる。この場合も、ドレイン線に対する各絶縁被覆付き導線の接近度は、各絶縁被覆付き導線で平等になっている。そのため、各絶縁被覆付き導線のドレイン線を介した誘導特性にばらつきが生じ難い。
【００２４】
また、各絶縁被覆付き導線は、いずれも、ドレイン線に対して同様の撚りを有しており、ドレイン線に対する撚りの効果で優れた耐誘導特性を得ることもできる。
【００２５】
また、ドレイン線は、撚り方向が各絶縁被覆付き導線とは逆向きのため、複数本の絶縁被覆付き導線を撚り合わせた導線束の外周に、絶縁被覆付き導線間の凹みの上を跨ぐ形態で敷設される。従って、ドレイン線の線径が小さくても、ドレイン線が絶縁被覆付き導線間の凹みに埋もれることが無く、外部導体の全長に渡って、ドレイン線と外部導体との接触状態を良好に保つことができる。
【００２６】
従って、ドレイン線の線径の縮径等でドレイン線の使用量を低減しても外部導体とドレイン線との間に安定した接触状態を確保することができて、シールド特性を低下させずにドレイン線の使用量の低減によって軽量化やコスト低減を図ることもできる。
【００２７】
また、ドレイン線は、撚り方向が各絶縁被覆付き導線とは逆向きのため、絶縁被覆付き導線の撚りピッチに関係なく、任意の撚りピッチを設定できるため、絶縁被覆付き導線と同方向の撚りをピッチを変えて付与する場合と比較すると、ドレイン線の縦添え工程を簡易にすることができる。
【発明の効果】
【００２８】
上記（１）又は（２）に記載した本発明によるシールド電線によれば、ドレイン線に対する各絶縁被覆付き導線の接近度は、各絶縁被覆付き導線で平等になる。そのため、各絶縁被覆付き導線のドレイン線を介した誘導特性にばらつきが生じ難い。また、各絶縁被覆付き導線は、いずれも、ドレイン線に対して同様の撚りを有しており、ドレイン線に対する撚りの効果で優れた耐誘導特性を得ることもできる。
【００２９】
また、ドレイン線は、複数本の絶縁被覆付き導線を撚り合わせた導線束の外周に絶縁被覆付き導線間の凹みの上を跨ぐ形態で敷設されることになるため、ドレイン線の線径が小さくても、ドレイン線が絶縁被覆付き導線間の凹みに埋もれることが無く、外部導体の全長に渡って、ドレイン線と外部導体との接触状態を良好に保つことができる。従って、ドレイン線の線径の縮径等でドレイン線の使用量を低減しても外部導体とドレイン線との間に安定した接触状態を確保することができて、シールド特性を低下させずにドレイン線の使用量の低減によって軽量化やコスト低減を図ることもできる。
【００３０】
しかも、ドレイン線は、複数本の絶縁被覆付き導線を撚り合わせた導線束の外周に、真直に縦添えしたり、又は、撚り方向を逆向きにして撚り付けるため、絶縁被覆付き導線と同方向の撚りをピッチを変えて付与する場合と比較すると、ドレイン線の縦添え工程を簡易にすることができる。
【図面の簡単な説明】
【００３１】
【図１】本発明に係るシールド電線の一実施形態の透過状態の斜視図と、この一実施形態のシールド電線の長手方向に位置をずらした各位置の横断面図である。
【図２】シールド電線の横断面図である。
【図３】従来のシールド電線の斜視図と、この従来のシールド電線の長手方向に位置をずらした各位置の横断面図である。
【発明を実施するための形態】
【００３２】
以下、本発明に係るシールド電線の好適な実施形態について、図面を参照して詳細に説明する。
図１は、本発明に係るシールド電線の一実施形態を示したものである。
【００３３】
図１に示したシールド電線１１は、４芯のシールド電線で、４本の絶縁被覆付き導線３ａ〜３ｄと、これらの絶縁被覆付き導線３ａ〜３ｄに縦添えされて絶縁被覆付き導線３ａ〜３ｄの端部で接地接続されるドレイン線１３と、これらの絶縁被覆付き導線３ａ〜３ｄとドレイン線１３の周囲を覆うシールド層となる外部導体１５と、この外部導体１５の外周を覆う不図示の絶縁材層とを備えている。
【００３４】
絶縁被覆付き導線３ａ〜３ｄは、図２に示したように、信号の伝送に使用される導体４の周囲を絶縁被覆５で覆った構造であり、ドレイン線１３は絶縁被覆の無い裸の導体である。
【００３５】
本実施形態の場合、外部導体１５は、絶縁性フィルムの片面に金属箔層を積層形成したもので、金属箔層を内側に向けて、４本の絶縁被覆付き導線３とドレイン線１３との外周に巻き付けられている。
なお、外部導体１５としては、細い導線を筒状に編んだ編組を用いても良い。
【００３６】
ドレイン線１３は、シールド電線１１の両端部で、接地用の端子を接続するためのものである。外部導体１５の全長でドレイン線１３と外部導体１５とが安定した接触状態になっていると、ドレイン線１３の両端を接地することで、良好なシールド特性が得られるようになる。
【００３７】
本実施形態の場合、４本の絶縁被覆付き導線３ａ〜３ｄは、ドレイン線１３を含まない４本の絶縁被覆付き導線３ａ〜３ｄだけで、所定の撚りピッチで撚り合わされて、１本の電線束に成形される。
【００３８】
そして、ドレイン線１３は、４本の絶縁被覆付き導線３ａ〜３ｄを撚り合わせた導線束の一側に、真直に縦添えされている。
【００３９】
図１において、拡大横断面図Ｂ１，Ｂ２，Ｂ３は、シールド電線１１上の長さ方向に位置をずらしたそれぞれの位置ｐ４，ｐ５，ｐ６におけるドレイン線１３と各絶縁被覆付き導線３ａ〜３ｄとの位置関係を示している。
【００４０】
以上に説明した一実施形態のシールド電線１１では、各絶縁被覆付き導線３ａ〜３ｄとドレイン線１３との相対的な位置関係は、いずれの絶縁被覆付き導線３ａ〜３ｄも、ドレイン線１３との接近及び離間を１撚り毎に繰り返す形態になり、ドレイン線１３に対する各絶縁被覆付き導線３ａ〜３ｄの接近度は、各絶縁被覆付き導線３ａ〜３ｄで平等になっている。そのため、各絶縁被覆付き導線３ａ〜３ｄのドレイン線１３を介した誘導特性にばらつきが生じ難く、いずれの絶縁被覆付き導線３ａ〜３ｄにおいても、ほぼ同等の誘導特性を確保することができる。
【００４１】
また、各絶縁被覆付き導線３ａ〜３ｄは、いずれも、ドレイン線１３に対して同様の撚りを有しており、ドレイン線１３に対する撚りの効果で優れた耐誘導特性を得ることもできる。
【００４２】
また、ドレイン線１３は、複数本の絶縁被覆付き導線３ａ〜３ｄを撚り合わせた導線束の一側に真直に縦添えされており、絶縁被覆付き導線３ａ〜３ｄ間の凹みの上を跨ぐ形態で敷設されているため、ドレイン線１３の線径が小さくても、ドレイン線１３が絶縁被覆付き導線３ａ〜３ｄ間の凹みに埋もれることが無く、外部導体の全長に渡って、ドレイン線１３と外部導体１５との接触状態を良好に保つことができる。
【００４３】
従って、ドレイン線１３の線径の縮径等でドレイン線１３の使用量を低減しても外部導体１５とドレイン線１３との間に安定した接触状態を確保することができて、シールド特性を低下させずにドレイン線１３の使用量の低減によって軽量化やコスト低減を図ることもできる。
【００４４】
また、ドレイン線１３は、複数本の絶縁被覆付き導線３ａ〜３ｄを撚り合わせた導線束の一側に真直に縦添えするだけであるから、ドレイン線１３を撚り付ける作業が一切不要となり、ドレイン線１３の縦添え工程を簡易にすることができる。
【００４５】
本発明に係るシールド電線では、ドレイン線は、複数本の絶縁被覆付き導線相互を所定の撚りピッチで撚り合わせた導線束の外周に、絶縁被覆付き導線の撚り方向とは逆の撚り方向で巻き付けるようにしても良い。
【００４６】
このような構成のシールド電線の場合も、上記一実施形態と同様の作用・効果を得ることができる。
【００４７】
即ち、ドレイン線を、複数本の絶縁被覆付き導線を撚り合わせた導線束の外周に、前記絶縁被覆付き導線の撚り方向とは逆の撚り方向で巻き付けたシールド電線の場合では、各絶縁被覆付き導線とドレイン線との相対的な位置関係は、いずれの絶縁被覆付き導線も、自己の撚りの位相とドレイン線の撚りの位相とに応じて周期的に変化する形態となる。この場合も、ドレイン線に対する各絶縁被覆付き導線の接近度は、各絶縁被覆付き導線で平等になっている。そのため、各絶縁被覆付き導線のドレイン線を介した誘導特性にばらつきが生じ難く、いずれの絶縁被覆付き導線においても、ほぼ同等の誘導特性を確保することができる。
【００４８】
また、ドレイン線を、複数本の絶縁被覆付き導線を撚り合わせた導線束の外周に、前記絶縁被覆付き導線の撚り方向とは逆の撚り方向で巻き付けたシールド電線の場合も、各絶縁被覆付き導線は、いずれも、ドレイン線に対して同様の撚りを有しており、ドレイン線に対する撚りの効果で優れた耐誘導特性を得ることもできる。
【００４９】
更に、ドレイン線の撚り方向を各絶縁被覆付き導線とは逆向きにした場合も、ドレイン線は、絶縁被覆付き導線間の凹みの上を跨ぐ形態で導線束の外周に敷設される。従って、ドレイン線の線径が小さくても、ドレイン線が絶縁被覆付き導線間の凹みに埋もれることが無く、外部導体の全長に渡って、ドレイン線と外部導体との接触状態を良好に保つことができる。
【００５０】
従って、ドレイン線の線径の縮径等でドレイン線の使用量を低減しても外部導体とドレイン線との間に安定した接触状態を確保することができて、シールド特性を低下させずにドレイン線の使用量の低減によって軽量化やコスト低減を図ることができる。
【００５１】
また、複数本の絶縁被覆付き導線を撚り合わせた導線束の外周に、絶縁被覆付き導線とは逆の撚り方向でドレイン線を撚り付ける場合は、ドレイン線の撚りには、絶縁被覆付き導線の撚りピッチに関係なく、任意の撚りピッチを設定できるため、絶縁被覆付き導線と同方向の撚りをピッチを変えて付与する場合と比較すると、ドレイン線の縦添え工程を簡易にすることができる。
【００５２】
なお、本発明に係るシールド電線において、外部導体内に収容する絶縁被覆付き導線の数量は、２以上の任意数に設定することができ、３芯以上の多芯のシールド電線に好適である。
【００５３】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００５４】
例えば、複数の絶縁被覆付き導線３ａ〜３ｄを撚り合わせた電線束の上に、ドレイン線１３を絶縁被覆付き導線３ａ〜３ｄと同方向の撚りで、撚りピッチを変えて巻きつけるようにしてもよい。
【符号の説明】
【００５５】
３ａ〜３ｄ  絶縁被覆付き導線
４  導体
５  絶縁被覆
９  絶縁材層
１１  シールド電線
１３  ドレイン線
１５  外部導体
ｐ４，ｐ５，ｐ６  断面位置
【図１】
2011014393.tif 000003
【図２】
2011014393.tif 000004
【図３】
2011014393.tif 000005